(57)【要約】【課題】パネルと枠体との密着性を確保可能な遮音パネルを提供すること。【解決手段】遮音パネル（１）であって、横枠（２０）及び縦枠（３０）を有する枠体（１０）と、パネル（４０）と、枠体（１０）に対して固定可能でかつ枠体（１０）に固定された状態においてパネル（４０）の枠体（１０）からの離脱を規制する規制部材（５０）と、枠体（１０）とパネル（４０）との間に設けられており、パネル（４０）を規制部材（５０）に向けて押し付ける押付部材（６０）と、を備え、各縦枠（３０）は、パネル（４０）を受ける湾曲受け部（３４）と、規制部材（５０）を保持する保持部と、有し、押付部材（６０）は、湾曲受け部（３４）とパネル（４０）の縁部との間に設けられており、パネル（４０）の規制部材（５０）への押付力が変化するように湾曲受け部（３４）及びパネル（４０）の縁部間の距離を変更可能であること。【選択図】図１
2018204271.tif 000002
【特許請求の範囲】
【請求項１】
それぞれが湾曲部を有しかつ互いに隣接するように配置された一対の支柱における前記湾曲部間に取り付けられる遮音パネルであって、
前記湾曲部同士を結ぶ方向に沿って延びる一対の横枠及び各横枠の端部同士を連結しており前記湾曲部に沿うように湾曲する形状を有する一対の縦枠を有する枠体と、
矩形状かつ平板状に形成されており、前記枠体に保持されるパネルと、
前記枠体に対して固定可能で、かつ、前記枠体に固定された状態において前記パネルの前記枠体からの離脱を規制する規制部材と、
前記枠体と前記パネルとの間に設けられており、前記パネルを前記規制部材に向けて押し付ける押付部材と、を備え、
各縦枠は、
前記湾曲部に沿うように湾曲する形状を有するとともに、前記パネルを受ける湾曲受け部と、
前記パネルを挟んで前記湾曲受け部と対向する位置に前記規制部材を保持する保持部と、有し、
前記押付部材は、前記湾曲受け部と前記パネルの縁部との間に設けられており、前記パネルの前記規制部材への押付力が変化するように前記湾曲受け部及び前記パネルの縁部間の距離を変更可能である、遮音パネル。
【請求項２】
請求項１に記載の遮音パネルにおいて、
前記押付部材は、
頭部及び軸部を有するボルトと、
前記ボルトの軸部を保持するポップナットと、を有し、
前記湾曲受け部は、前記ポップナットの軸方向が前記湾曲受け部と前記規制部材とを結ぶ方向と平行となるように前記ポップナットを支持する支持部を有する、遮音パネル。
【請求項３】
請求項２に記載の遮音パネルにおいて、
前記押付部材は、
前記ボルトの頭部と前記ポップナットとの間で前記ボルトの軸部に螺合するナットと、
前記ナットと前記ポップナットとの間に設けられたワッシャと、をさらに有する、遮音パネル。
【発明の詳細な説明】
【技術分野】
【０００１】
本発明は、遮音パネルに関する。
【背景技術】
【０００２】
従来、特許文献１等に見られるように、高速道路等に用いられる防音壁が公知である。このような防音壁では、その上部が道路側に向かうように湾曲する形状に形成されることがある。具体的に、図３及び図４に示されるように、特許文献１に記載の防音壁１００は、複数の支柱１０１と、互いに隣接する一対の支柱１０１間に取り付けられた複数の遮音パネル１０２と、を備えている。
【０００３】
各支柱１０１の上部には、一方側に湾曲する湾曲部１０１ａが形成されている。各支柱１０１は、Ｈ形鋼からなる。
【０００４】
各遮音パネル１０２は、各支柱１０１間に挿入される。各遮音パネル１０２は、矩形状に形成された枠体１０３と、平板状に形成されたパネル（透明ガラス等）１１０と、パネル１１０を受ける補助材１１４と、パネル１１０を枠体１０３に向けて押し付ける押縁１２０と、を備えている。
【０００５】
枠体１０３は、互いに隣接する一対の支柱１０１間に挿入されることが可能な形状を有する。枠体１０３は、一対の横枠部材１０４と、一対の縦枠部材１０５と、を有している。各横枠部材１０４は、直線状に延びる形状に形成されており、各縦枠部材１０５は、各支柱１０１の湾曲部１０１ａの形状に沿うように湾曲する形状に形成されている。各横枠部材１０４及び各縦枠部材１０５には、パネル１１０を受けるための段部１０４ａ，１０５ａが形成されている。横枠部材１０４の段部１０４ａは、平坦に形成されており、縦枠部材１０５の段部１０５ａは、湾曲する形状に形成されている。
【０００６】
補助材１１４は、縦枠部材１０５の段部１０５ａ上でパネル１１０を受ける部材である。補助材１１４は、直線状に延びる形状を有する。この補助材１１４は、縦枠部材１０５の段部１０５ａ上に配置された状態で縦枠部材１０５に固定される。具体的に、補助材１１４は、縦枠部材１０５の内側部（一対の縦枠部材１０５の並ぶ方向に対向する平坦な部位）１０５ｂにボルト等によって固定される固定部１１５と、固定部１１５から立ち上がっておりパネル１１０を受ける平坦な立ち上がり部１１６と、を有している。
【０００７】
押縁１２０は、パネル１１０の縁部を枠体１０３に向けて押し付けるための部材である。具板的に、この押縁１２０は、パネル１１０の縁部が補助材１１４の立ち上がり部１１６及び横枠部材１０４の段部１０４ａに向けて押し付けられた状態でボルト等によって枠体１０３の内側部に固定される。これにより、パネル１１０の縁部が補助材１１４及び段部１０４ａに密着するので（枠体１０３の開口部がパネル１１０により閉塞されるので）、遮音性が確保される。
【先行技術文献】
【特許文献】
【０００８】
【特許文献１】特開２０１４−１５９７２０号公報
【発明の概要】
【発明が解決しようとする課題】
【０００９】
特許文献１に記載される遮音パネルでは、押縁の枠体への固定位置や補助材の枠体への固定位置のずれ等に起因してパネルと枠体との密着性が不十分となる場合がある。
【００１０】
本発明の目的は、パネルと枠体との密着性を確保可能な遮音パネルを提供することである。
【課題を解決するための手段】
【００１１】
前記の目的を達成するため、本発明は、それぞれが湾曲部を有しかつ互いに隣接するように配置された一対の支柱における前記湾曲部間に取り付けられる遮音パネルであって、前記湾曲部同士を結ぶ方向に沿って延びる一対の横枠及び各横枠の端部同士を連結しており前記湾曲部に沿うように湾曲する形状を有する一対の縦枠を有する枠体と、矩形状かつ平板状に形成されており、前記枠体に保持されるパネルと、前記枠体に対して固定可能で、かつ、前記枠体に固定された状態において前記パネルの前記枠体からの離脱を規制する規制部材と、前記枠体と前記パネルとの間に設けられており、前記パネルを前記規制部材に向けて押し付ける押付部材と、を備え、各縦枠は、前記湾曲部に沿うように湾曲する形状を有するとともに、前記パネルを受ける湾曲受け部と、前記パネルを挟んで前記湾曲受け部と対向する位置に前記規制部材を保持する保持部と、有し、前記押付部材は、前記湾曲受け部と前記パネルの縁部との間に設けられており、前記パネルの前記規制部材への押付力が変化するように前記湾曲受け部及び前記パネルの縁部間の距離を変更可能である、遮音パネルを提供する。
【００１２】
本遮音パネルでは、湾曲受け部とパネルの縁部との間に押付部材が設けられており、この押付部材によってパネルの規制部材への押付力の調整が可能であるので、パネルの枠体への密着性、すなわち、防音性が確保可能となる。
【００１３】
この場合において、前記押付部材は、頭部及び軸部を有するボルトと、前記ボルトの軸部を保持するポップナットと、を有し、前記湾曲受け部は、前記ポップナットの軸方向が前記湾曲受け部と前記規制部材とを結ぶ方向と平行となるように前記ポップナットを支持する支持部を有することが好ましい。
【００１４】
このようにすれば、支持部に支持されたポップナットに対してボルトを回転させることにより、パネルの規制部材への押付力を調整することができる。
【００１５】
さらにこの場合において、前記押付部材は、前記ボルトの頭部と前記ポップナットとの間で前記ボルトの軸部に螺合するナットと、前記ナットと前記ポップナットとの間に設けられたワッシャと、をさらに有することが好ましい。
【００１６】
このようにすれば、ナットをポップナットに向けて締め付けることにより、ポップナットに対するボルトの相対回転が規制されるので、湾曲受け部及びパネルの縁部間の距離の減少、すなわち、パネルの規制部材への押付力の低下が抑制される。
【発明の効果】
【００１７】
以上のように、本発明によれば、パネルと枠体との密着性を確保可能な遮音パネルを提供することができる。
【図面の簡単な説明】
【００１８】
【図１】本発明の一実施形態の遮音パネルの断面図である。
【図２】図１のＩＩ−ＩＩ線での断面図である。
【図３】従来の防音壁の斜視図である。
【図４】従来の遮音パネルの分解斜視図である。
【発明を実施するための形態】
【００１９】
本発明の一実施形態の防音壁について、図面を参照しながら説明する。この防音壁は、複数の支柱１０１（図３を参照）と、複数の遮音パネル１（図１を参照）と、を備えている。なお、各支柱１０１の構成は、従来（図３に示されるもの）と同じである。
【００２０】
各遮音パネル１は、枠体１０と、パネル４０と、規制部材５０と、押付部材６０と、を備えている。
【００２１】
枠体１０は、略矩形状に形成されており、支柱１０１の湾曲部１０１ａに挿入される。図１及び図２に示されるように、枠体１０は、一対の横枠２０と、一対の縦枠３０と、を有している。
【００２２】
各横枠２０は、湾曲部１０１ａ同士を連結する方向（複数の支柱１０１が並ぶ方向）に沿って直線状に延びる形状を有する。各横枠２０は、パネル４０を受ける平坦な受け部２２と、受け部２２の外端部から起立する起立部２４と、を有する。起立部２４は、パネル４０のうち当該パネル４０の長手方向に沿って延びる縁部を外側から覆う形状を有する。起立部２４の内側面は、平坦に形成されている。受け部２２及び起立部２４は、中空状に形成されている。
【００２３】
各縦枠３０は、各横枠２０の端部同士を連結している。各縦枠３０は、本体３２と、本体３２に接続された湾曲受け部３４と、を有する。
【００２４】
本体３２は、湾曲部１０１ａに沿うように湾曲する形状を有している。本体３２は、平板状に形成されておりパネル４０の縁部４０ａと対向する内側部３３を有する。この本体３２は、外側（支柱１０１に向く側）に開口する形状を有している。
【００２５】
湾曲受け部３４は、本体３２の内側部３３から内向きに突出するとともに、湾曲部１０１ａ（本体３２）に沿うように湾曲する形状を有する。湾曲受け部３４は、パネル４０を受ける。湾曲受け部３４は、中空状に形成されている。
【００２６】
パネル４０は、矩形状かつ平板状に形成されている。パネル４０は、枠体１０に保持される。具体的に、パネル４０は、受け部２２及び湾曲受け部３４に設置される。パネル４０は、透光性を有している。例えば、パネル４０は、ポリカーボネートからなる。
【００２７】
規制部材５０は、枠体１０に対して固定可能で、かつ、枠体１０に固定された状態においてパネル４０の枠体１０からの離脱を規制する。規制部材５０は、横規制材５２と、縦規制材５４と、を有する。
【００２８】
図１に示されるように、横規制材５２は、四角筒状に形成されている。横規制材５２は、横枠２０の起立部２４の内側面にねじ等の固定具５３で固定される。より詳細には、横規制材５２は、起立部２４の内側面のうち当該横規制材５２と受け部２２とによりパネル４０を挟持する部位に固定される。横規制材５２とパネル４０との間には、ゴム等からなるシール部材７０が設けられる。
【００２９】
図２に示されるように、縦規制材５４は、四角筒状に形成されている。縦規制材５４は、縦枠３０の内側部３３にリベット等の固定具５５で固定される。つまり、内側部３３のうち縦規制材５４が固定される部位は、縦規制材５４を保持する保持部３３ａに相当する。保持部３３ａは、パネル４０を挟んで湾曲受け部３４と対向する位置で縦規制材５４を保持する。なお、リベット等の固定具５５による保持部３３ａへの縦規制材５４の固定は、本体３２の開口側から行われる。このため、縦規制材５４の内側面５４ａには、固定具５５が露出しない。また、保持部３３ａへの縦規制材５４の固定後、本体３２の開口部は、閉塞部材３６によって閉塞される。
【００３０】
押付部材６０は、各縦枠３０の湾曲受け部３４とパネル４０の縁部４０ａとの間に設けられ、パネル４０を規制部材５０の縦規制材５４に向けて押し付ける。押付部材６０は、パネル４０の縦規制材５４への押付力が変化するように各湾曲受け部３４及びパネル４０の縁部４０ａ間の距離を変更可能である。具体的に、押付部材６０は、複数組の（一方の湾曲受け部３４側及び他方の湾曲受け部３４側にそれぞれ３組の）ボルト６２、ポップナット６４、ナット６６及びワッシャ６８を有している。各ボルト６２、ポップナット６４、ナット６６及びワッシャ６８は、湾曲受け部３４の長手方向に沿って等間隔で配置されている。各ボルト６２、ポップナット６４、ナット６６及びワッシャ６８のうちの一組は、湾曲受け部３４の長手方向について当該湾曲受け部３４の中央に配置される。
【００３１】
ポップナット６４は、ボルト６２の軸部を支持可能である。このポップナット６４は、湾曲受け部３４に支持される。つまり、湾曲受け部３４のうちポップナット６４が取り付けられる部位は、ポップナット６４を支持する支持部３５（図２を参照）に相当する。支持部３５は、ポップナット６４の軸方向が湾曲受け部３４と縦規制材５４とを結ぶ方向と平行となるようにポップナット６４を支持する。このため、ポップナット６４に対してボルト６２を回転させることにより、湾曲受け部３４及びパネル４０の縁部４０ａ間の距離、すなわち、パネル４０の縦規制材５４への押付力が変更される。本実施形態では、支持部３５は、ポップナット６４のうちボルト６２の軸部を支持する部位が湾曲受け部３４内に位置する状態でポップナット６４を支持している。なお、ボルト６２の頭部とパネル４０との間には、ゴム等からなる緩衝材７２が設けられ、パネル４０と縦規制材５４との間には、ゴム等からなるシール部材７０が設けられる。
【００３２】
ナット６６は、ボルト６２の頭部とポップナット６４との間に設けられており、ワッシャ６８は、ナット６６とポップナット６４との間に配置されている。
【００３３】
以上のように、本実施形態の遮音パネル１では、湾曲受け部３４とパネル４０の縁部４０ａとの間に押付部材６０が設けられており、この押付部材６０によってパネル４０の規制部材５０への押付力の調整が可能であるので、パネル４０の枠体１０への密着性、すなわち、防音性が確保可能となる。
【００３４】
また、湾曲受け部３４は、ポップナット６４の軸方向が湾曲受け部３４と縦規制材５４とを結ぶ方向と平行となるようにポップナット６４を支持する支持部３５を有するので、この支持部３５に支持されたポップナット６４に対してボルト６２を回転させることにより、パネル４０の規制部材５０への押付力を調整することができる。さらに、前記押付力の調整後、ナット６６をポップナット６４側に締めることにより、ポップナット６４に対するボルト６２の相対回転が規制されるので、湾曲受け部３４及びパネル４０の縁部４０ａ間の距離の減少、すなわち、パネル４０の規制部材５０への押付力の低下が抑制される。
【００３５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３６】
例えば、押付部材６０は、パネル４０の縦規制材５４への押付力が変化するように湾曲受け部３４及びパネル４０の縁部４０ａ間の距離を変更可能であれば、ボルト６２及びポップナット６４を有するものに限られない。
【符号の説明】
【００３７】
１      遮音パネル
１０    枠体
２０    横枠
２２    受け部
３０    縦枠
３２    本体
３３ａ  保持部
３４    湾曲受け部
３５    支持部
４０    パネル
４０ａ  縁部
５０    規制部材
５２    横規制材
５４    縦規制材
６０    押付部材
６２    ボルト
６４    ポップナット
６６    ナット
６８    ワッシャ
７０    シール部材
７２    緩衝材
１００    防音壁
１０１    支柱
１０１ａ  湾曲部
１０２    遮音パネル
【図１】
2018204271.tif 000003
【図２】
2018204271.tif 000004
【図３】
2018204271.tif 000005
【図４】
2018204271.tif 000006